(57)【要約】【課題】  バリア開時および閉時は勿論、バリア開閉動作時にも防塵・防滴を確実にする。【解決手段】  レンズ露出用の開口２ａを有する先端カバー２と、先端カバー２の背面側に位置し、先端カバー２との間にバリア退避空間ＳＰを形成する壁部４と、レンズ光軸Ｌと直交する方向に開閉し、閉時にレンズ１の前面を覆い、開時にバリア退避空間ＳＰに退避することでレンズ１を露出させるバリア羽根３Ａと、先端カバー２の開口縁部に沿ってバリア退避空間を閉塞する防塵・防滴部材６，８とを備える。防塵・防滴部材は、バリア閉時にはレンズ光軸方向の一端６ｂがバリア羽根３Ａの表面に押圧される第１の姿勢をとり、バリア開時には一端６ｂが壁部４に押圧される第２の姿勢をとり、バリア開閉動作に連動して第１の姿勢と第２の姿勢との間で姿勢変更される。【選択図】        図３
2005173104.tif 000002
【特許請求の範囲】
【請求項１】
レンズ露出用の開口を有する先端カバーと、
該先端カバーの背面側に位置し、該先端カバーとの間にバリア退避空間を形成する壁部と、
レンズ光軸と直交する方向に開閉し、閉時にレンズ前面を覆い、開時に前記バリア退避空間に退避することでレンズを露出させるバリア羽根と、
前記先端カバーの前記開口縁部に沿って前記バリア退避空間を閉塞する防塵・防滴部材とを備え、
該防塵・防滴部材は、バリア閉時にはレンズ光軸方向の一端がバリア羽根の表面に押圧される第１の姿勢をとり、バリア開時には前記一端が前記壁部に押圧される第２の姿勢をとり、バリア開閉動作に連動して前記第１の姿勢と第２の姿勢との間で姿勢変更されるよう構成されることを特徴とするレンズ鏡筒。
【請求項２】
前記防塵・防滴部材の光軸方向の他端側は、可撓性を持ち、その可撓性部分が前記先端カバーに固着されていることを特徴とする請求項１に記載のレンズ鏡筒。
【請求項３】
前記防塵・防滴部材を付勢する付勢部材を更に備え、前記防塵・防滴部材は、該付勢部材の付勢力により前記第１の姿勢から前記第２の姿勢に姿勢変更するとともに、閉動作を開始したバリア羽根により前記付勢力に抗して前記第２の姿勢から前記第１の姿勢に姿勢変更されることを特徴とする請求項１または２に記載のレンズ鏡筒。
【請求項４】
前記防塵・防滴部材は弾性体で構成され、その弾性力により前記第１の姿勢から前記第２の姿勢に姿勢変更するとともに、前記閉動作を開始したバリア羽根により前記弾性力に抗して前記第２の姿勢から前記第１の姿勢に弾性変形することを特徴とする請求項１に記載のレンズ鏡筒。
【請求項５】
前記防塵・防滴部材の前記一端は断面が尖鋭形状をなし、その尖端が前記バリア羽根または前記壁部に押圧されることを特徴とする請求項１〜４のいずれかに記載のレンズ鏡筒。
【請求項６】
前記壁部には凹部が形成され、前記防塵・防滴部材の前記一端は、該凹部の底面に押圧されることを特徴とする請求項１〜５のいずれかに記載のレンズ鏡筒。
【請求項７】
前記壁部のうち前記防塵・防滴部材の前記一端が当接する箇所には弾性部材が固着されていることを特徴とする請求項１〜６のいずれかに記載のレンズ鏡筒。
【請求項８】
前記防塵・防滴部材のレンズ光軸側の面は、前記第１，第２の姿勢のいずれにおいても鏡筒先端に至るほど光軸から遠ざかる面となるよう構成されているされることを特徴とする請求項１〜７のいずれかに記載のレンズ鏡筒。
【請求項９】
請求項１〜８のいずれかのレンズ鏡筒を有することを特徴とするカメラ。
【発明の詳細な説明】
【技術分野】
【０００１】
本発明は、撮影レンズの前面で開閉可能なレンズバリアを備えたレンズ鏡筒、およびこれを有するカメラに関し、防塵・防滴性を向上させたものである。
【背景技術】
【０００２】
レンズバリアを有するレンズ鏡筒として、例えば特許文献１に開示されたものがある。このレンズ鏡筒は、レンズ露出用開口が形成されたカバーを先端に有し、その背面側に配置された一対のバリア羽根を、バリア駆動リングの回転によって開閉する。バリア羽根は、閉時にレンズ前面を覆い、開時にバリア退避空間に退避することでレンズを露出させる。またこのレンズ鏡筒では、バリア全閉時と全開時に上記バリア駆動リングを前方に進出させ、バリア駆動リングでバリア羽根を先端カバーの内面に押し付けることで、バリア羽根とカバーとの隙間から塵埃等が侵入しないようにしている。
【０００３】
【特許文献１】特開平９−６１８８７号公報
【発明の開示】
【発明が解決しようとする課題】
【０００４】
しかしながら、引用文献１の防塵構造では、バリア全閉時と全開時には確かに防塵効果を発揮するものの、バリア開閉途中は駆動リングをバリア羽根から離す必要があるため防塵機能は働かず、塵埃や水分の侵入を許すことがあり得る。特にバリア全開時に羽根の端面に溜まった塵埃が、バリア閉動作に伴ってバリア羽根と先端カバーとの隙間に落下し、バリア退避空間に入り込むおそれがある。
【課題を解決するための手段】
【０００５】
請求項１〜８の発明に係るレンズ鏡筒は、レンズ露出用の開口を有する先端カバーと、先端カバーの背面側に位置し、先端カバーとの間にバリア退避空間を形成する壁部と、レンズ光軸と直交する方向に開閉し、閉時にレンズ前面を覆い、開時にバリア退避空間に退避することでレンズを露出させるバリア羽根と、先端カバーの開口縁部に沿ってバリア退避空間を閉塞する防塵・防滴部材とを備え、防塵・防滴部材は、バリア閉時にはレンズ光軸方向の一端がバリア羽根の表面に押圧される第１の姿勢をとり、バリア開時には上記一端が壁部に押圧される第２の姿勢をとり、バリア開閉動作に連動して第１の姿勢と第２の姿勢との間で姿勢変更されるよう構成される。
特に請求項２の発明は、防塵・防滴部材の光軸方向の他端側に可撓性を持たせ、その可撓性部分を先端カバーに固着したものである。
請求項３の発明は、防塵・防滴部材を付勢する付勢部材を更に備え、防塵・防滴部材は、付勢部材の付勢力により第１の姿勢から第２の姿勢に姿勢変更するとともに、閉動作を開始したバリア羽根により上記付勢力に抗して第２の姿勢から第１の姿勢に姿勢変更されるものである。
請求項４の発明は、防塵・防滴部材を弾性体で構成し、その弾性力により第１の姿勢から第２の姿勢に姿勢変更するとともに、閉動作を開始したバリア羽根により弾性力に抗して第２の姿勢から第１の姿勢に弾性変形するようにしたものである。
請求項５の発明は、防塵・防滴部材の上記一端を尖鋭形状となし、その尖端がバリア羽根または壁部に押圧されるようにしたものである。
請求項６の発明は、壁部に凹部が形成し、防塵・防滴部材の一端が凹部の底面に押圧されるようにしたものである。
請求項７の発明は、壁部のうち防塵・防滴部材の一端が当接する箇所に弾性部材を固着したものである。
請求項８の発明は、防塵・防滴部材のレンズ光軸側の面が、第１，第２の姿勢のいずれにおいても鏡筒先端に至るほど光軸から遠ざかる面となるよう構成したものである。
請求項９の発明に係るカメラは、上述したレンズ鏡筒を有するものである。
【発明の効果】
【０００６】
本発明では、先端カバーの開口縁部に沿ってバリア退避空間を閉塞する防塵・防滴部材を設け、防塵・防滴部材の光軸方向の一端がバリア羽根およびその後方の壁部のいずれかに必ず押圧されるよう構成したので、バリア開時および閉時は勿論、バリア開閉動作時にも高い防塵・防滴効果が得られる。
【発明を実施するための最良の形態】
【０００７】
図１〜図７により本発明の一実施の形態を説明する。
図１は本実施形態におけるカメラのレンズ鏡筒を示す斜視図、図２はそのＡ−Ａ線断面図である。レンズ鏡筒ＬＢは、不図示のカメラボディと一体化され、内部に撮影レンズ１を保持している。レンズ１は、先端カバー２に形成された矩形の開口２ａから露出可能とされ、先端カバー２とレンズ１との間には、レンズバリア３がレンズ光軸Ｌと直交する方向に開閉可能に設けられている。レンズバリア３は上下一対のバリア羽根３Ａを有し、これらが上下に移動することで開口２ａを開閉する。図３はバリア閉時の状態を示し、このとき一対のバリア羽根３Ａは先端同士が当接する状態でレンズ前面を覆い、レンズ１を保護する。先端カバー２とその内側の壁部４との間には上下にバリア退避空間ＳＰが形成され、バリア開時にバリア羽根３Ａが空間ＳＰに退避することでレンズ１が露出する（図１，図２）。
【０００８】
一対のバリア羽根３Ａは、バリア駆動リング５の回転によって開閉駆動される。図４に示すように、バリア駆動リング５には一対のピン５ａが設けられ、それらのピン５ａがバリア羽根３Ａに設けられたカム３ｂに係合している。これにより、バリア駆動リング５が一方向に回転すると一対のバリア羽根３Ａが開き、他方向に回転すると閉じる。
【０００９】
本実施形態では、開口２ａから鏡筒内に塵埃や水分が侵入するのを防止するために、上下一対の防塵・防滴部材（以下、単に防滴部材と記す）６，８を設けている。防滴部材６は、例えば樹脂製の略矩形の板部材から成り、その横方向（長手方向）の長さは開口２ａの横方向の長さとほぼ等しく、それぞれ開口２ａの上下縁部に沿ってバリア退避空間ＳＰを閉塞するように配置される。
【００１０】
図５は防滴部材（以下、板状防滴部材）６を図３のＢ−Ｂ線から見た図、図６はそのＣ−Ｃ線断面図である。各板状防滴部材６には、その長手方向の両端に支持部６ａが突設され、その支持部６ａが先端カバー２の側面から突設された軸部材２ｂに回動可能に軸支されている。軸部材２ｂにはねじりばね７が外挿され、これにより各板状防滴部材６は軸２ｂ回り（図６の矢印方向）にそれぞれ付勢力を受け、その光軸方向の一端６ｂ（一方の長辺）がバリア羽根３Ａあるいは壁部４に押圧される。一端６ｂは、図７に示すように断面が尖鋭形状に加工されており、その尖端がバリア羽根３Ａあるいは壁部４に実質的に線接触する。また、板状防滴部材６は光軸Ｌに対して斜めに延在し、その光軸側の面は先端側（被写体側）に至るほど光軸から遠ざかる。特に下側の防滴部材６についていえば、カメラの通常姿勢（横撮影姿勢）において、光軸側の面が先端側に至るほど低くなる。
【００１１】
一方、一対の防滴部材８は例えばビニールなどの薄い可撓性材料から成り、光軸方向の一端が上下板状防滴部材６に、他端が先端カバー２の開口２ａの端面に例えば接着等で固着される。この可撓性防滴部材８の横方向の長さは、板状防滴部材６の同方向の長さとほぼ等しく、板状防滴部材６の横方向全体に渡って隙間なく固着される。なお、可撓性防滴部材８の他端の取付箇所は、開口端面ではなく先端カバー２の裏面であってもよい。
【００１２】
以上の構成において、カメラの電源オフ時には、図３に示すように一対のバリア羽根３Ａが閉塞され、このとき一対の板状防滴部材６の一端６ｂはばね７の付勢力によりバリア羽根３Ａの前面に押圧されている。これにより、バリア羽根３Ａと先端カバー２との隙間、つまりバリア退避空間ＳＰの開口部は板状防滴部材６および可撓性防滴部材８により完全に塞がれ、バリア退避空間ＳＰに塵埃や水分が侵入することはない。また下側の板状防滴部材６の光軸側の面は、上述したように先端に向けて下る斜面となっているので、その斜面に付着した雨滴等の水分は斜面を伝わって外部に落下する。さらにバリア羽根３Ａの表面に付着した水分は、その表面を伝わって下側の板状防滴部材６に至り、同様に斜面を伝わって外部に落下する。したがって、バリア羽根３Ａの近傍に水分が溜まることはない。カメラが上下逆の姿勢の場合は、上側の板状防滴部材６が同様の作用をもたらす。
ここで、水分を効率よく落下させるには、バリア羽根３Ａや板状防滴部材６を撥水性の材料で形成するか、水分が伝わる面に撥水処理を施すことが望ましい。
【００１３】
カメラに電源が投入されると、バリア駆動リング５がバリア開方向に回転され、一対のバリア羽根３Ａが上下に開動作を始める。このとき、ばね７によって付勢された板状防滴部材６の一端６ｂは、バリア羽根３Ａの表面を摺動し、バリア羽根３Ａとの間に隙間が生ずることはない。したがって、バリア開動作時も防塵・防滴性が確保される。また、もしバリア羽根３Ａの表面に水滴や塵が残っていた場合には、それらを板状防滴部材６によって掻き落とし、特に下側の防滴部材６では斜面を介して外部に落下させることができる。
【００１４】
バリア羽根３Ａは、開ききる直前に板状防滴部材６から退避し、これに伴って板状防滴部材６はばね７の付勢力によって回動し、図２に示すように一端６ｂが壁部４に押圧される。可撓性防滴部材８は、板状防滴部材６と先端カバー２とに固着されているが、常に撓んだ状態を維持しているため板状防滴部材６の姿勢変更を妨げることはなく、板状防滴部材６の姿勢変更に伴ってその防塵・防滴性を維持したまま変形する。したがって、バリア開時においても、バリア退避空間ＳＰの開口部は板状防滴部材６および可撓性防滴部材８により完全に塞がれ、バリア退避空間ＳＰに塵埃や水分が侵入することはない。また、板状防滴部材６は姿勢変更に伴って若干角度が変化するが、その斜面の方向が変化することはないので、斜面や壁部４に付着した水分を外部に落下させる作用をもたらす。上述と同様の理由から、壁部４もまた撥水性とすることが望ましい。
【００１５】
カメラの電源がオフされると、バリア駆動リング５が上述と逆方向に回転され、一対のバリア羽根３Ａが上下に閉動作を始める。その直後、バリア羽根３Ａは板状防滴部材６の裏面に当接し、これをばね７の付勢力に抗して回動させつつ移動する。よって板状防滴部材６はバリア羽根３Ａに乗り上げ、図３の姿勢に変更される。以降は板状防滴部材６の一端６ｂがバリア羽根３Ａの表面上を摺動し、羽根３Ａが完全に閉じると図３の状態となる。したがってバリア閉動作時も防塵・防滴性能が確保される。
【００１６】
また本実施形態では、図７に示すように板状防滴部材６の一端６ｂが尖鋭加工されているので、その一端６ｂとバリア羽根３Ａあるいは壁部４との当接部分に水分が溜まることがない。因みに図１２は尖鋭加工していない例を示し、この場合は当接部分に水分５０が溜まり易く、摺動の際にその水分が内側に入り込むおそれがある。
【００１７】
図８〜図１０はバリア開時の防塵・防滴性能を更に向上させるための変形例を示している。
図８では壁部４に凹部４ａを形成し、板状防滴部材６の一端６ｂが凹部４ａの底面に押圧されるようにしている。これにより、一端６ｂと壁部４との接触部分に水分や塵がもたらされることを抑制できる。図９および図１０では、壁部４のうち板状防滴部材６の一端６ｂが当接する箇所に弾性材料から成るシール部材を２１，２２をそれぞれ固着している。シール部材２１は断面円形、シール部材２２は断面Ｖ字とされ、いずれも一端６ｂを全体に渡って受けるようになっている。これにより一端６ｂと壁部４との密着性が高まり、水分や塵の侵入防止効果が向上する。
なお、壁部４ではなく板状防滴部材の一端６ｂ側に弾性体を取り付け、この弾性体が壁部４またはバリア羽根３Ａに押圧されるよう構成してもよい。
【００１８】
図１１は上記板状防滴部材６に代えて、ゴム等の弾性体にて構成された一対の弾性防滴部材６０（下側のみ図示）を用いた例を示している。弾性防滴部材６０は、その横方向の長さがレンズ露出用開口２ａの横方向の長さとほぼ等しく、開口２ａの上下縁部に沿ってバリア退避空間ＳＰを隠蔽するように配置されている。弾性防滴部材６０の一端（自由端）６０ｂは、変形し易くするために尖鋭状態とされ、他端（固定端）６０ｃは先端カバー２に全体に渡って接着剤等で固着されている。
【００１９】
自由端６０ｂは、バリア閉時には自身の弾性力によりバリア羽根３Ａに押圧され、バリア羽根３Ａの開動作に伴って羽根３Ａ上を摺動する。バリア羽根３Ａは、開ききる直前に弾性防滴部材６０から退避し、これに伴って弾性防滴部材６０は自身の弾性力によって変形し、一端６０ｂが壁部４に押圧される。またバリア羽根３Ａは、閉動作開始直後に弾性防滴部材６０の裏面に当接し、これを弾性力に抗して変形させつつ移動し、弾性防滴部材６０はバリア羽根３Ａに乗り上げる。さらに弾性防滴部材６０の光軸側の面は、いずれの状態においても鏡筒先端に至るほど光軸から遠ざかる面となっている。これにより先の実施形態と同様の作用効果が得られる。しかも本例では、上述のばね７や可撓性防滴部材８が不要となり、また壁４にシール部材を固着しなくても高い防塵・防滴効果を発揮するので、部品点数の低減と小型化が図れる。
【００２０】
なお以上では、板状防滴部材６を光軸に対して斜めに設けることで排水性を向上させたが、この構成は発明の必須要件ではなく、光軸と平行でもよい。またバリア駆動リングを用いてバリア羽根を開閉するようにしたが、バリア動方式はいかなる方式でもよい。さらに防滴部材を上下に設けたが、下側のみでもよい。また２枚のバリア羽根から成るバリアを示したが、上下各２枚ずつのバリア羽根を持つバリアでもよい。
【図面の簡単な説明】
【００２１】
【図１】一実施形態におけるカメラのレンズ鏡筒部分を示す斜視図。
【図２】図１のＡ−Ａ線から見たレンズ鏡筒の断面図で、バリア開状態を示す。
【図３】図２と同様の図で、バリア閉状態を示す。
【図４】バリア駆動機構を説明する斜視図。
【図５】板状防滴部材を図３のＢ−Ｂ方向から見た図。
【図６】図５のＣ−Ｃ線断面図。
【図７】板状防滴部材の断面形状を説明する断面図。
【図８】板状防滴部材が押圧される箇所に凹部を設けた例を示す図。
【図９】板状防滴部材が押圧される箇所に断面円形の弾性部材を配した例を示す図。
【図１０】板状防滴部材が押圧される箇所に断面Ｖ字状の弾性部材を配した例を示す図。
【図１１】板状防滴部材に代えて弾性防滴部材を用いた例を示す図。
【図１２】板状防滴部材に尖鋭加工を施さなかった場合の問題を説明する図。
【符号の説明】
【００２２】
１  撮影レンズ
２  先端カバー
２ａ  開口
３  レンズバリア
３Ａ  バリア羽根
４  壁部
４ａ  凹部
５  バリア駆動リング
６  板状防滴部材
６ｂ  一端
７  ねじりばね
８  可撓性防滴部材
２１，２２  シール部材
６０  弾性防滴部材  
Ｌ  光軸
ＬＢ  レンズ鏡筒
ＳＰ  バリア退避空間
【図１】
2005173104.tif 000003
【図２】
2005173104.tif 000004
【図３】
2005173104.tif 000005
【図４】
2005173104.tif 000006
【図５】
2005173104.tif 000007
【図６】
2005173104.tif 000008
【図７】
2005173104.tif 000009
【図８】
2005173104.tif 000010
【図９】
2005173104.tif 000011
【図１０】
2005173104.tif 000012
【図１１】
2005173104.tif 000013
【図１２】
2005173104.tif 000014